(57)【特許請求の範囲】
【請求項１】
筺体と導波管部を有する衛星放送受信用コンバータと、この衛星放送受信用コンバータの外表部を覆う合成樹脂からなるカバーとを備え、前記カバーは、前記衛星放送受信用コンバータの外表部を覆う外装部と、この外装部と一体に設けられた複数の弾性腕部とを有し、前記弾性腕部を前記筺体に弾接させたことを特徴とする衛星放送受信用コンバータのカバー構造。
【請求項２】
前記カバーは、前記筺体を上下から覆う第１と第２のカバー部を有し、この第１と第２のカバー部に設けた前記弾性腕部で、前記筺体を上下から弾圧したことを特徴とする請求項１記載の衛星放送受信用コンバータのカバー構造。
【請求項３】
前記筺体と前記弾性腕部の何れか一方には、凹部を設けると共に、他方には突部を設けて、両者を凹凸嵌合させたことを特徴とする請求項１，又は２記載の衛星放送受信用コンバータのカバー構造。
【発明の詳細な説明】
【０００１】
【発明の属する技術分野】
本発明は、衛星放送受信用コンバータのカバー構造に関する。
【０００２】
【従来の技術】
従来の衛星放送受信用コンバータのカバー構造を図３に基づいて説明すると、衛星放送受信用コンバータ２１は、セラミック基板等のプリント基板（図示せず）にチップ型のコンデンサ、抵抗等の電気部品（図示せず）が搭載されてなる受信回路を内蔵した箱形の筺体２２と、この筺体２２と一体、或いは筺体２２の上面に取り付けられた導波管部２３と、筺体２２の側面に取り付けられた同軸型のコネクタ２４とで構成されている。
【０００３】
合成樹脂の成型品からなるカバー２５は、筺体２２の下部側の外表部を覆う箱形の第１のカバー部２６と、筺体２２の上部側の外表部、及び導波管部２３の外表部を覆う第２のカバー部２７とで構成されている。
また、この第１，第２のカバー部２６，２７は、衛星放送受信用コンバータ２１の外表部を覆う外装部２６ａ、２７ａと、外装部２６ａ、２７ａの内部に設けられた凸条からなる複数のリブ部２６ｂ、２７ｂとを有する。
【０００４】
そして、この第１，第２のカバー部２６，２７は、コネクタ２４を外部に突出させた状態で、衛星放送受信用コンバータ２１の上下から被せられて、第１，第２のカバー部２６，２７が組み合わされた構成となっている。
この時、複数のリブ部２６ｂ、２７は、筺体２２の外表部に当接し、筺体２２を上下から挟持すると共に、この第１，第２のカバー部２６，２７の外装部２６ａ、２７ａで衛星放送受信用コンバータ２１を覆って、衛星放送受信用コンバータ２１がカバー２５によって防水された構成となっている。
【０００５】
そして、このように構成された従来のカバー構造において、衛星放送受信用コンバータ２１を不用意に落下した時、カバー２５からの衝撃がリブ部２６ｂ、２７ｂを通してダイレクトに筺体２２に伝わり、その結果、プリント基板が破損したり、電気部品が剥がれたりするものであった。
【０００６】
【発明が解決しようとする課題】
従来の衛星放送受信用コンバータのカバー構造は、カバー２５のリブ部２６ｂ、２７ｂで筺体２２を挟持するものであるため、衛星放送受信用コンバータ２１を不用意に落下した時、カバー２５からの衝撃がリブ部２６ｂ、２７ｂを通してダイレクトに筺体２２に伝わり、その結果、プリント基板が破損したり、電気部品が剥がれたりするという問題がある。
【０００７】
そこで、本発明は、落下時における衛星放送受信用コンバータの筺体への衝撃を和らげて、プリント基板の破損、及び電気部品の剥がれの無い衛星放送受信用コンバータのカバー構造を提供することを目的とする。
【０００８】
【課題を解決するための手段】
上記課題を解決するための第１の解決手段として、筺体と導波管部を有する衛星放送受信用コンバータと、この衛星放送受信用コンバータの外表部を覆う合成樹脂からなるカバーとを備え、前記カバーは、前記衛星放送受信用コンバータの外表部を覆う外装部と、この外装部と一体に設けられた複数の弾性腕部とを有し、前記弾性腕部を前記筺体に弾接させた構成とした。
【０００９】
また、第２の解決手段として、前記カバーは、前記筺体を上下から覆う第１と第２のカバー部を有し、この第１と第２のカバー部に設けた前記弾性腕部で、前記筺体を上下から弾圧した構成とした。
【００１０】
また、第３の解決手段として、前記筺体と前記弾性腕部の何れか一方には、凹部を設けると共に、他方には突部を設けて、両者を凹凸嵌合させた構成とした。
【００１１】
【発明の実施の形態】
本発明の衛星放送受信用コンバータのカバー構造の図面を説明すると、図１は本発明の衛星放送受信用コンバータのカバー構造を示す要部断面図、図２は本発明の衛星放送受信用コンバータのカバー構造に係るカバー部の斜視図である。
【００１２】
次に、本発明の衛星放送受信用コンバータのカバー構造の構成を図１，図２に基づいて説明すると、衛星放送受信用コンバータ１は、セラミック基板等のプリント基板（図示せず）にチップ型のコンデンサ、抵抗等の電気部品（図示せず）が搭載されてなる受信回路を内蔵した箱形の筺体２と、この筺体２と一体、或いは筺体２の上面に取り付けられた導波管部３と、筺体２の側面に取り付けられた同軸型のコネクタ４とで構成されている。
【００１３】
合成樹脂の成型品からなるカバー５は、筺体２の下部側の外表部を覆う箱形の第１のカバー部６と、筺体２の上部側の外表部、及び導波管部３の外表部を覆う第２のカバー部７とで構成されている。
また、この第１，第２のカバー部６，７は、衛星放送受信用コンバータ１の外表部を覆う外装部６ａ、７ａと、外装部６ａ、７ａと一体に内部に設けられたＬ字状の複数の弾性腕部６ｂ、７ｂとを有する。
【００１４】
そして、これ等の弾性腕部６ｂ、７ｂは、外装部６ａ、７ａに連結されたＬ字状の弾性部６ｃ、７ｃと、この弾性部６ｃ、７ｃの自由端部側に設けられた台座部６ｄ、７ｄと、この台座部６ｄ、７ｄの中央部に設けられた凸部６ｅ、７ｅとで構成されている。
【００１５】
そして、この第１，第２のカバー部６，７は、コネクタ４を外部に突出させた状態で、衛星放送受信用コンバータ１の上下から被せられて、第１，第２のカバー部６，７が組み合わされた構成となっている。
この時、複数の弾性腕部６ｂ、７ｂの台座部６ｄ、７ｄは、筺体２の外表部に弾接して、筺体２を上下から弾圧すると共に、凸部６ｅ、７ｅが筺体２の凹部２ａに凹凸嵌合して、筺体２の位置決めが行われている。
また、この第１，第２のカバー部６，７の外装部６ａ、７ａで衛星放送受信用コンバータ１を覆って、衛星放送受信用コンバータ１がカバー５によって防水された構成となっている。
【００１６】
そして、このように構成された本発明のカバー構造において、衛星放送受信用コンバータ１を不用意に落下した時、カバー５からの筺体２への衝撃は、弾性腕部６ａ、７ａによって和らげられ、その結果、プリント基板が破損したり、電気部品が剥がれたりすることが無くなる。
【００１７】
なお、上記実施例においては、第１，第２のカバー部６，７の双方に弾性腕部６ｂ、７ｂも設けたもので説明したが、何れか一方に設けても良く、また、弾性腕部６ｂ、７ｂに凸部６ｅ、７ｅを設けて、これを筺体２の凹部２ａに凹凸嵌合したもので説明したが、弾性腕部に設けた凹部に、筺体に設けた凸部を凹凸嵌合させるようにしても良い。
【００１８】
【発明の効果】
本発明の衛星放送受信用コンバータのカバー構造において、カバー５は、衛星放送受信用コンバータ１の外表部を覆う外装部と、この外装部と一体に設けられた複数の弾性腕部とを有し、この弾性腕部を筺体２に弾接させたため、衛星放送受信用コンバータ１を不用意に落下した時、カバー５からの筺体２への衝撃は、弾性腕部によって和らげられ、その結果、プリント基板が破損したり、電気部品が剥がれたりすることを防止できる。
【００１９】
また、カバー５は、筺体２を上下から覆う第１と第２のカバー部６，７を有し、この第１と第２のカバー部６，７に設けた弾性腕部６ｂ、７ｂで、筺体２を上下から弾圧したため、落下時における筺体２への衝撃が一層、和らげられて、プリント基板の破損や電気部品の剥が無くなる。
【００２０】
また、筺体２と弾性腕部の何れか一方には、凹部を設けると共に、他方には突部を設けて、両者を凹凸嵌合させたため、筺体２の位置決めができて、カバー５内での筺体２の位置ずれを防止できる。
【図面の簡単な説明】
【図１】本発明の衛星放送受信用コンバータのカバー構造を示す要部断面図。
【図２】本発明の衛星放送受信用コンバータのカバー構造に係るカバー部の斜視図。
【図３】従来の衛星放送受信用コンバータのカバー構造を示す要部断面図。
【符号の説明】
１  衛星放送受信用コンバータ
２  筺体
２ａ  凹部
３  導波管部
４  コネクタ
５  カバー
６  第１のカバー部
６ａ  外装部
６ｂ  弾性腕部
６ｃ  弾性部
６ｄ  台座部
６ｅ  凸部
７  第２のカバー部
７ａ  外装部
７ｂ  弾性腕部
７ｃ  弾性部
７ｄ  台座部
７ｅ  凸部
【図１】
0003789729.tif 000002
【図２】
0003789729.tif 000003
【図３】
0003789729.tif 000004